(57)【要約】      （修正有）【課題】本考案の投与器は嗜好性と流動性の優れた流動食を利用することで、犬や猫の口腔内や口周辺に触れることなく、犬や猫に抵抗を受けることもなく固形剤を安全・確実・簡単に投与ができる。また投与器の手元のみで操作できるので、人畜共通伝染病や未知の感染症の感染リスクを軽減させ、投与する側・される側のストレスも軽減できる、小動物用固形剤投与器具を提供する。【解決手段】筒型の胴体部１、胴体部を通る押出し棒２から構成されており、手指が小動物の口に触れることなく流動食に包み込まれた固形剤を安全・確実・簡単に投与できる小動物用固形剤投与器具である。【選択図】図１
0003234292.tif 000002
【実用新案登録請求の範囲】
【請求項１】
筒型の胴体部と当該胴体部の内側を通る押出し棒とから構成されていることを特徴とする小動物用固形剤投与器具。
【請求項２】
前記胴体部の内径と、前記胴体部先端の投入口の内径が同一であることを特徴とする請求項１に記載の小動物用固形剤投与器具。
【請求項３】
前記胴体部が透明であり、側面に投与量目安線の目盛りがあることを特徴とする請求項１及び２に記載の小動物用固形剤投与器具。
【請求項４】
前記押出し棒が後端にストッパーを有していることを特徴とする請求項１乃至３に記載の小動物用固形剤投与器具。
【考案の詳細な説明】
【技術分野】
【０００１】  本考案は、小動物（主に犬や猫）にストレスを与えることなく、錠剤などの固形剤を安全・確実・簡単に経口投与するための投与器具に関するものである。
【背景技術】
【０００２】  獣医療では固形剤（錠剤やカプセル剤）の使用頻度が圧倒的に多く、固形剤の投与の困難さが犬や猫の治療や健康維持の障害になっている。【０００３】  犬や猫への一般的な固形剤の経口投与は、片方の手で動物を開口状態に保ちながら、もう一方の指先で固形剤を摘むか既存の投与器具に挟んで、口腔内の奥の咽頭部付近に投与する方法である。【０００４】    上述の投与方法［０００３］では、手指が犬や猫の口腔内および口周辺に触れることで人畜共通伝染病（狂犬病・レプトスピラ病・猫ひっかき病など）や未知の感染症のリスクが高まる。また偶発的な犬や猫による咬傷があれば、さらに感染のリスクが高まる。【０００５】  上述の投与作業が苦手な人には、固形剤を好物で包み隠し投与する方法もある。また固形剤を包み隠すことを目的で作られた投与補助食品もある。これらの投与方法は、食餌を噛み砕く習性のある犬や猫は高い確率で固形剤を鋭敏に感知して、一部または全部を吐出し投与の確実性に欠ける。
【先行技術文献】
【特許文献】
【０００６】
【特許文献１】特開２０００−０８３９７７
【考案の概要】
【考案が解決しようとする課題】
【０００７】  犬や猫が経口投与に必要な開口作業に抵抗したり、手指や既存の投与器具の口腔内への挿入に対する恐怖心から攻撃的になる例が多くみられ、口腔内に外傷や炎症があれば、さらに開口から投与までの作業が困難になる。【０００８】  指先で固形剤を摘んで投与する場合、投与部位の目安としては口腔内の奥深く、咽頭部付近に投与が必要である場合が多く、投与しづらい欠点がある。【０００９】  既存の投与器具で固形剤を挟んで投与する場合、犬や猫に投与器具に対する緊張抵抗が生じ暴れることで咽喉頭部付近を損傷したり、誤って目的の場所以外に投与する事態が発生することも考えられる。【００１０】  上述の［０００７］［０００８］［０００９］の投与方法では、犬や猫に多大のストレスを与え、また投与を実行する人にもストレスがかかる。【００１１】  投与補助食品や好物で固形剤を包み隠し投与する場合、多くの犬や猫は容易に口腔内に受け入れるが、その後食餌を噛み砕く習性で固形剤が口腔内で暴露し、一部または全部を吐き出す例が多くある。このような場合、再投与量の決定を含め再投与が困難になる。長期間の確実な投与や確実な投与量が必要な薬剤（例えば強心剤・抗生剤など）および複数個の薬剤の同時投与には不向きである。
【課題を解決するための手段】
【００１２】  請求項１に係る考案は、筒型の胴体部と当該胴体部の内側を通る押出し棒とから構成されていることを特徴とする小動物用固形剤投与器具に関する。【００１３】  請求項２に係る考案は、前記胴体部の内径と、前記胴体部先端の投入口の内径が同一であることを特徴とする請求項１に記載の小動物用固形剤投与器具に関する。【００１４】  請求項３に係る考案は、前記胴体部が透明であり、側面に投与量目安線の目盛りがあることを特徴とする請求項１及び２に記載の小動物用固形剤投与器具に関する。【００１５】  請求項４に係る考案は、前記押出し棒が後端にストッパーを有していることを特徴とする請求項１乃至３に記載の小動物用固形剤投与器具に関する。【００１６】  本考案は円筒状の投与器を使用し、流動食に包み込まれた固形剤を咽頭部付近に安全・確実・簡単に投与するものである。まず流動食と固形剤を充填した投与器の先端を口先に近付け流動食を少量与える。流動食の刺激で、咽喉頭部と食道に飲み込みと嚥下の準備が整い、動物自ら投与器の先端部をくわえ込む。これにより強制的な開口作業をせず、ストレスを与えることなく、投与器の先端を口腔内中央から咽頭部付近まで容易に進めることができる。この時点で、投与器内の流動食と流動食内に包み込まれた固形剤を押し出す。すでに飲み込みと嚥下の準備ができているので、噛み砕きや吐き出しもなく安全・確実・簡単に投与することで問題点を解決している。
【考案の効果】
【００１７】  上述のように、本考案の投与器は嗜好性と流動性の優れた流動食を利用することで、犬や猫の口腔内や口周辺に触れることなく、犬や猫に抵抗を受けることもなく固形剤を安全・確実・簡単に投与ができる。また投与器の手元のみで操作できるので、人畜共通伝染病（狂犬病・レプトスピラ病・猫ひっかき病など）や未知の感染症の感染リスクを軽減させ、投与する側・される側のストレスも軽減できる。
【図面の簡単な説明】
【００１８】
【図１】  本考案による小動物用固形剤投与器の側面図。
【図２】  少量の流動食５に固形剤４の一部を軽く埋め込んだ状態を示す断面図。
【図３】  図２に少量の流動食５を追加投入し固形剤４を流動食５で包み込んだ状態を示す断面図。
【図４】  押出し棒２で流動食内に包み込まれた固形剤４を口腔内に押し出したときの側面図。（固形剤の位置を点線で表示）
【図５】  充填器の側面図。
【考案を実施するための形態】
【００１９】  以下、本考案に係る小動物用固形剤投与器具の構成について犬や猫に固形剤４を投与する場合を例に、添付図面を参照して一層詳細に説明する。
【００２０】  図１に小動物用固形剤投与器具の側面図を示す。
小動物用固形剤投与器具は胴体部１と押出し棒２とを備えている。
押出し棒２は胴体部１の内側に通されている。
胴体部１は筒状の形態であり、先端に投入口６が開口している。
胴体部１は透明であり、側面には１錠投与目安線９と２錠投与目安線１０の目盛りが記載されている。１錠投与目安線９は固形剤１錠を投与する時の流動食５の投入量の目安となる線。２錠投与目安線１０は固形剤２錠を投与する時の流動食５の投入量の目安となる線。
胴体部１の内径と、胴体部先端の投入口６の内径は同一であることが望ましい。なお、投入口６の内径が小さいと固形剤４と流動食５が押し出し難くなり、大きいと小動物の口に胴体部先端を入れ難くなるが、使用できる範囲で胴体部１の内径と、胴体部先端の投入口６の内径が異なっても良い。
【００２１】  押出し棒先端部３を１錠投与目安線９または２錠投与目安線１０付近に適宜移動固定し、流動食５および固形剤４を投入口６より投入する。
【００２２】  胴体部１が透明であり、側面に１錠投与目安線９と２錠投与目安線１０があることにより、流動食５の投入量の決定が容易になる。
【００２３】  ［図５］の充填器には予め流動食５を充填しておく。量は任意である。
【００２４】  ［図５］の充填器から押出し棒先端部３に流動食５を少量注入し、その後固形剤４をピンセット等で軽く埋め込む、その後投入口６よりわずかに溢れる程度の流動食５を追加注入することで固形剤４を流動食５で包み込んだ状態にする。
【００２５】  この状態で投与器具の先端を口周辺に近づける。流動食５が嗜好に合っていれば、動物自ら嫌がらずに投与器を奥までくわえ込み、投与器先端を咽頭部付近まで容易に進めることができる。
【００２６】  この時点で流動食５と固形剤４を押し出すと、すでに飲み込みと嚥下の準備ができているので簡単に投与できることで問題点を解決している。
【００２７】  押出し棒先端部３と手元部のストッパー７は平坦な円盤状であるが、手元部のストッパー７は胴体部１の内径より大きければ形状等任意のもので構わない。
【００２８】  胴体部１および押出し棒２の長さは任意であるが、使用時手先が犬や猫の口に触れることの無いような長さであり、押出し棒は流動食５と固形剤４の押し出し完了時、押出し棒先端３が投入口６より数ミリ程度突出する長さである。
【００２９】  ［図５］の充填器の筒先８は先端が流動食注入時に押出し棒先端３に届く長さであり、流動食が容易に通過する太さである。［図５］では、充填器が注射筒状であるが特に制限はない。
【符号の説明】
【００３０】    １  投与器胴体部
２  押出し棒
３  押出し棒先端
４  固形剤
５  流動食
６  投入口
７  ストッパー
８  充填器筒先
９  １錠投与目安線
１０  ２錠投与目安線
【図１】
0003234292.tif 000003
【図２】
0003234292.tif 000004
【図３】
0003234292.tif 000005
【図４】
0003234292.tif 000006
【図５】
0003234292.tif 000007
【手続補正書】
【提出日】令和3年6月24日(2021.6.24)
【手続補正１】
【補正対象書類名】実用新案登録請求の範囲
【補正対象項目名】全文
【補正方法】変更
【補正の内容】
【実用新案登録請求の範囲】
【請求項１】
筒型の胴体部と当該胴体部の内側を通る押出し棒とから構成されていることを特徴とする小動物用固形剤投与器具。
【請求項２】
前記胴体部の内径と、前記胴体部先端の投入口の内径が同一であることを特徴とする請求項１に記載の小動物用固形剤投与器具。
【請求項３】
前記胴体部が透明であり、側面に投与量目安線の目盛りがあることを特徴とする請求項１または２に記載の小動物用固形剤投与器具。
【請求項４】
前記押出し棒が後端にストッパーを有していることを特徴とする請求項１〜３のいずれか一項に記載の小動物用固形剤投与器具。